(57)【要約】【目的】在来の足場板をそのまま使用でき、足場板への取付け及び取外しが簡単容易に行え、足場板のメーカーによって幅木がガタついたり、ずれたりすることのない足場板用幅木を提供する。【解決手段】足場板１の側縁部５上に載置される幅木本体４を有し、幅木本体４の前後各端部に、端部キャップ１０と、足場板１の外側端面６に支持されるアウトガイド１１と、足場用建枠の横架材２に掛合されるキャッチガイド１２と、キャッチガイド１２を横架材２に掛合させてロックするロック部片１３とを設け、キャッチガイド１２は、端部キャップ１０内で上端部を枢着されて前後方向揺動可能に垂下され、その下端掛合部１２ａが足場板係止用フック８の内側面近接位置で足場板１の前後端面７と横架材２との間に突入している。【選択図】        図２
2004360268.tif 000002
【特許請求の範囲】
【請求項１】
足場板の側縁部上に起立姿勢に載置される幅木本体を有し、この幅木本体の前後各端部に、端部キャップと、足場板の外側端面に支持されるアウトガイドと、足場用建枠の横架材に掛合されるキャッチガイドと、このキャッチガイドを前記横架材に掛合させてロックするロック部片とを設け、キャッチガイドは、端部キャップ内で上端部を枢着されて前後方向揺動可能に垂下され、その下端掛合部が足場板係止用フックの内側面近接位置で足場板の前後端面と前記横架材との間に突入し、ロック部片は幅木本体の内側面に上下方向揺動可能に枢着されて、先端側を押し下げることにより、キャッチガイドを前方へ押動して、その下端掛合部を前記横架材に掛合させるようになっている足場板用幅木。
【請求項２】
ロック部片は、帯板材からなるもので、横長形状でその長手方向中間部が幅木本体の内側面に枢着され、その枢着部より後方側に、ロック部片の先端側を押し下げ操作するために棒状金具を挿入する棒状金具挿入部を設けてなる請求項１に記載の足場用幅木。
【請求項３】
アウトガイドは、幅木本体の外側面に取り付けられる取付板部と、この取付板部の下端から一体に突出して足場板の外側端面に当接支持される支持板部とからなるもので、取付板部には、幅木の梱包等に際して幅木同士を積み重ねる時にロック部片との干渉を避けるための切除部が形成されている請求項１又は２に記載の足場用幅木。
【発明の詳細な説明】
【０００１】
【発明の属する技術分野】
本発明は、建築現場等で仮設される足場板に、その側縁部に沿って取り付けられる足場板用幅木に関するものである。
【０００２】
【従来の技術及びその課題】
建築現場等における足場板上での高所作業では、作業者の手にしたボルト・ナット、金具類等の種々の施工用部品や工具類、足元に置いた各種資材や用具等を誤って落下させ、事故につながるという危険性が常に付きまとう。そこで、安全対策として、足場板の側縁部に添って幅木を取り付けることが行われているが、従来、足場板用幅木を足場板に取り付けるにあたって、足場板の幅木取付部位にボルト孔等を開けるなど足場板側に何らかの加工を施す必要があるため、在来の足場板をそのまま使用できない難点があり、また足場板用幅木の構成が複雑で、足場板への取り付けに手間がかかるという問題があった。
【０００３】
一方、足場板１の取付ピッチＬａ（図５の（Ａ）参照）は足場板メーカーの各社共に殆ど一定であるが、足場板本体１ａの面板長さＬｂ（図５の（Ａ）参照）は各社違うため、幅木を足場板に取り付けた時に、幅木がガタついたり、ずれたりするという問題もあった。
【０００４】
本発明は、足場板側に何の加工も施す必要がなく、在来の足場板をそのまま使用できると共に、足場板への取付け及び取外しが簡単容易に行え、しかも足場板のメーカーによって幅木がガタついたり、ずれたりすることのないようにした足場板用幅木を提供することを目的とする。
【０００５】
【課題を解決するための手段】
請求項１に係る発明の足場板用幅木は、足場板１の側縁部５上に起立姿勢に載置される幅木本体４を有し、この幅木本体４の前後各端部に、端部キャップ１０と、足場板１の外側端面６に支持されるアウトガイド１１と、足場用建枠の横架材２に掛合されるキャッチガイド１２と、このキャッチガイド１２を前記横架材２に掛合させてロックするロック部片１３とを設け、キャッチガイド１２は、端部キャップ１０内で上端部を枢着されて前後方向揺動可能に垂下され、その下端掛合部１２ａが足場板係止用フック８の内側面近接位置で足場板１の前後端面７と前記横架材２との間に突入し、ロック部片１３は幅木本体４の内側面に上下方向揺動可能に枢着されて、先端側を押し下げることにより、キャッチガイド１２を前方へ押動して，その下端掛合部１２ａを前記横架材２に掛合させるようになっていることを特徴とする。
【０００６】
請求項２は、請求項１に記載の足場板用幅木において、ロック部片１３は、帯板材からなるもので、横長形状でその長手方向中間部が幅木本体４の内側面に枢着され、その枢着部より後方側には当該ロック部片１３の先端側を押し下げ操作するために棒状金具を挿入する棒状金具挿入部２１を設けてなることを特徴とする。
【０００７】
請求項３は、請求項１又は２に記載の足場板用幅木において、アウトガイド１１は、幅木本体４の外側面に取り付けられる取付板部１１ｂと、この取付板部１１ｂの下端から一体に突出して足場板１の外側端面６に当接支持される支持板部１１ａとからなるもので、取付板部１１ｂには、幅木３の梱包等に際して幅木３同士を積み重ねる時にロック部片１３との干渉を避けるための切除部２５が形成されていることを特徴とする。
【０００８】
【発明の実施の形態】
本発明に係る足場板用幅木について図面を参照して説明すると、図１の（Ａ）は足場板用幅木３をその内側面側から見た側面図、（Ｂ）は幅木３の平面図である。図２は幅木３を足場板１に取り付けた状態を示す斜視図、図３は幅木３を足場板１に取り付けた状態を幅木３の外側から見た正面図である。図４の（Ａ）は図１の（Ａ）の矢印Ｘで囲まれた部分の拡大図、（Ｂ）は同部分の平面図であり、（Ｃ）は同部分の端面図である。また図５の（Ａ）は足場板１の取付ピッチ及び面板長さを示す側面図、（Ｂ）は幅木３の作用を示す正面図である。図２に示すように、足場板１には前後各端面７の左右両端部に足場板係止用フック８，８が突設され、各端面７の両係止用フック８，８は足場用建枠（図示省略）の横架材２に係止されるようになっている。
【０００９】
本発明に係る足場板用幅木３は、図２に示すように足場板１の側縁部５上に起立姿勢で載置される幅木本体４を有する。この幅木本体４の前後各端部には、端部キャップ１０と、幅木本体４が足場板１の側縁部５上に起立姿勢に載置された状態で足場板１の外側端面６に当接支持されるアウトガイド１１と、図示しない足場用建枠の横架材２に掛合されるキャッチガイド１２と、このキャッチガイド１２を足場用建枠の横架材２に掛合させてロックするロック部片１３とが設けられ、キャッチガイド１２は、端部キャップ１０内で上端部を枢着されて前後方向揺動可能に垂下され、その下端掛合部１２ａが足場板係止用フック８の内側面８ａに近接した位置で足場板１の前後端面７と足場用建枠の横架材２との間に突入し、ロック部片１３は、幅木本体４の内側面に上下方向揺動可能に枢着されて、１端側を押し下げることにより、キャッチガイド１２を前方へ押動して、その下端掛合部１２ａを足場用建枠の横架材２に掛合させるようになっている。
【００１０】
端部キャップ１０は、幅木本体４の前後各端部に取り付け固定されるもので、一枚の金属板を二つ折りにしてその折曲端部と反対側の端部を平面視略々Ｌ字状に折曲したような形状のもので、平面視略々Ｕ字状のキャップ本体１０ａと、平面視略々Ｌ字状の取付基部１０ｂとからなる。キャップ本体１０ａの下端部は、その前端側が側面視円弧状に形成されて、幅木取付時に足場用建枠の横架材２に係合可能な位置決め用の横架材係合部１４を形成し、且つキャップ本体１０ａ下端部の後端側が足場板１の前後端部に余裕をもって係合可能な足場板係合段部１５を形成し、しかしてこれら横架材係合部１４と足場板係合段部１５の間に形成される突片１６が、幅木取付時に足場板１の前後端面７と足場用建枠の横架材２との間に突入するようになっている。
【００１１】
キャッチガイド１２は、端部キャップ１０のキャップ本体１０ａ内に挿入されて、その上端部が枢支軸１７によりキャップ本体１０ａに枢着されて前後方向に揺動可能に垂下され、その下端掛合部１２ａが足場板１の前後端面７と足場用建枠の横架材２との間に前後移動自在に突入している。このキャッチガイド１２の下端掛合部１２ａの先端面は、足場用建枠の横架材２に掛合する掛合凹部１２ｏを形成している。またキャッチガイド１２は、ロック部片１３の先端部１３ａが当接する後端部がテーパｔに形成されているから、ロック部片１３の先端側を押し下げてキャッチガイド１２を押動する時に、そのテーパｔの楔効果によってキャッチガイド１２を横架材２に的確且つ強固に押し込むことができる。
【００１２】
このキャッチガイド１２は、図５の（Ｂ）の左側に示すように、ロック部片１３によってロックされていない状態では、その下端掛合部１２ａが足場板１の前後端面７と足場用建枠の横架材２との中間に位置して足場用建枠の横架材２に係合しないように、枢支軸１７により端部キャップ１０に枢着されている。また、キャッチガイド１２の中間部にはその前端側に切欠開口する一定長さのガイド溝１８（図３及び図４参照）が形成されていて、このガイド溝１８にキャッチガイド１２側からガイド軸１９を挿通させ、それによってキャッチガイド１２の揺動をスムーズに行なわせるようにしている。
【００１３】
ロック部片１３は、金属帯板材をプレス加工して形成されたもので、図２及び図４から分かるように、その板面を幅木本体４の内側面と平行にした横長形状でその長手方向中間部が幅木本体４に枢支軸２０により枢着され、この枢着部より後方側には、ロック部片１３の先端側を押し下げ操作するために番線による結着作業等に使用される「しの」等の棒状金具を挿入する円筒状の棒状金具挿入部２１が設けられ、またこの枢着部と先端部との中間部前方側には、同様にロック部片１３の先端側を押し下げ操作するためにハンマー等で上から叩く叩き部２２が設けられている。
【００１４】
また、このロック部片１３の枢着部より後方側は幅木本体４の内側面に接触した状態にあり、枢着部より前方側は屈曲して幅木本体４の内側面から離れ、このロック部片１３の先端部１３ａは、幅木本体４の内側面と平行に延びて、端部キャップ１０の取付基部１０ｂに設けられたスリット２３に突入し、キャッチガイド１２の後端面に当接するようになっている。尚、前記叩き部２２は、ロック部片１３が枢着部から前方側で平面視略くの字状に屈曲した部分の上端面部とされる。
【００１５】
また、このロック部片１３を幅木本体４に枢着するための枢支軸２０は、図４の（Ｄ）に示すように先端部にねじ部２０ａを有するボルトからなるもので、幅木本体４の外側面に取り付けられるアウトガイド１１を挿通し且つ幅木本体４を挿通して幅木本体４の内側面側にねじ部２０ａを突出させ、そのねじ部２０ａをロック部片１３のねじ孔２４に螺合固定している。
【００１６】
この場合、ボルトのねじ部２０ａに緩み止めのために樹脂が塗布されていて、このねじ部２０ａをロック部片１３のねじ孔２４にねじ込むことによって、ボルトであるロック部片１３がロック部片１３に対し緩むことなく一体化するようにしてある。従って、枢支軸２０は、幅木本体４に対しては回転可能で、ロック部片１３とは一体に回転することになる。尚、このロック部片１３は、前記棒状金具を棒状金具挿入部２１に挿入して操作したり、叩き部２２をハンマー等で叩かないと簡単には揺動回転できないように、枢着部より後方側が幅木本体４の内側面に適当な接触摩擦力で圧接した状態に取り付けられるから、キャッチガイド１２のロック状態及びロック解除状態を確実に保持することができる。
【００１７】
しかして、このロック部片１３が、図５の（Ｂ）の左側に示すように先端側が持ち上がった前上がりの状態にある時は、キャッチガイド１２は、その下端掛合部１２ａが足場板１の前後端面７と足場用建枠の横架材２との中間に位置して、足場用建枠の横架材２に掛合しないロック解除状態にあるが、この前上がりの状態からロック部片１３の棒状金具挿入部２１に「しの」等の棒状金具を挿入してこじることによりロック部片１３の先端部を押し下げ操作したり、又はロック部片１３の叩き部２２をハンマーで上から叩いてロック部片１３の先端部を押し下げ操作して、ロック部片１３を図５の（Ｂ）の右側に示すような水平姿勢にすると、ロック部片１３の先端部１３ａがキャッチガイド１２を前方へ押し込んで、その下端掛合部１２ａを足場用建枠の横架材２に掛合させ、これによりキャッチガイド１２はロック状態となる。
【００１８】
このキャッチガイド１２のロック状態を解除する時は、ロック部片１３の棒状金具挿入部２１に再び棒状金具を挿入してこじながらロック部片１３の先端側を押し上げるか、あるいは棒状金具挿入部２１をハンマー等で上から叩いてロック部片１３の先端側を押し上げることによって、キャッチガイド１２の下端掛合部１２ａが足場用建枠の横架材２から離脱し、ロック解除状態となる。
【００１９】
アウトガイド１１は、図２及び図３から分かるように、幅木本体４の外側面にリベットで取り付けられる取付板部１１ｂと、この取付板部１１ｂの下端から一体に突出して足場板１の外側端面６に当接支持される支持板部１１ａとからなるもので、取付板部１１ｂには、幅木３の梱包等に際して幅木同士を積み重ねる時にロック部片１３との干渉を避けるための切除部２５が形成されている。このアウトガイド１１の取付板部１１ｂ及び支持板部１１ａにはそれらの一側端部に補強リブ１１ｏが形成されている。
【００２０】
以上説明したように構成される足場板用幅木３を足場板１に取り付けるには、図２に示すように、幅木３を足場板１の側縁部５の上方に持ち来たし、この足場板側縁部５の上方から幅木３をそのまま降ろして、幅木本体４を足場板１の側縁部５上に載置し、幅木本体４の前後両端部に夫々設けてあるアウトガイド１１の支持板部１１ａを足場板１の外側端面６に当接支持させると共に、キャッチガイド１２の下端掛合部１２ａを足場板１の前後端面７と足場用建枠の横架材２との間に突入させる。この時、端部キャップ１２のキャップ本体１０ａ下端部の横架材係合部１４が足場用建枠の横架材２上に係合して位置決めされるから、幅木本体４は倒れるようなことがなく、足場板１の側縁部５上で安定状態となる。
【００２１】
この後、前上がり姿勢にあるロック部片１３の棒状金具挿入部２１に「しの」等の棒状金具を挿入してこじることによりロック部片１３の先端部を押し下げ、あるいはロック部片１３の叩き部２２をハンマーで上から叩いてロック部片１３の先端部を押し下げ、それによりロック部片１３の先端部１３ａがキャッチガイド１２を前方へ押動して、その下端掛合部１２ａを足場用建枠の横架材２に掛合させることにより、キャッチガイド１２をロックする。
【００２２】
上記のように幅木本体４を足場板１の側縁部５の上に載せて、アウトガイド１１の支持板部１１ａを足場板１の外側端面６に当接支持させ、キャッチガイド１２の下端掛合部１２ａを足場板１の前後端面７と足場用建枠の横架材２との間に突入させることによって、幅木本体４の左右方向の移動及び倒れが阻止される。これは、図２から分かるように、アウトガイド１１とキャッチガイド１２の下端掛合部１２ａによって足場板１の係止用フック８を挟む状態となるからである。そして、キャッチガイド１２の下端掛合部１２ａを足場用建枠の横架材２に掛合させることにより、幅木本体４の前後方向の移動が阻止され、これによって幅木本体４は、足場板１の側縁部５上で起立姿勢に確実に保持固定される。
【００２３】
また、この幅木３を取り外すときは、ロック部片１３の棒状金具挿入部２１に再び棒状金具を挿入してこじながらロック部片１３の先端側を押し上げるか、又は棒状金具挿入部２１をハンマー等で上から叩いてロック部片１３の先端側を押し上げれば、キャッチガイド１２の下端掛合部１２ａが足場用建枠の横架材２から離脱して、ロック解除状態となるから、幅木本体４をそのまま持ち上げるだけで、簡単容易に足場板１から取り外すことができる。
【００２４】
また、キャッチガイド１２の作用について、図５を参照して更に説明すると、この図５の（Ｂ）では、右側のキャッチガイド１２がロック状態にあって、左側のキャッチガイド１２は非ロック状態となっているが、この左側のキャッチガイド１２もロック状態にすることによって、幅木本体４の前後両端側のキャッチガイド１２，１２が両足場用建枠の横架材２，２に掛合して突っ張った状態となるため、幅木本体４の前後方向の移動が完全に阻止される。
【００２５】
しかも、この場合、キャッチガイド１２は、端部キャップ１０内に垂下状態で前後方向揺動自在に枢支されて、その下端掛合部１２ａが足場板１の前後端面７と足場用建枠の横架材２との間に突入した位置で前後に移動可能となっているから、この位置でキャッチガイド１２をロックすることにより、下端掛合部１２ａの掛合用凹部１２ｏが横架材２に掛合した位置で幅木本体４の前後方向の移動を完全に阻止することができ、従って図５の（Ａ）に示す足場板本体１ａの面板長さＬｂが各メーカーによって違っていても、幅木３を足場板１に取り付けた時、幅木３がその長手方向にガタついたり、ずれたりすることがない。
【００２６】
図６は幅木３の梱包等に際して幅木３同士を多数積み重ねる時の状態を示す。この図から分かるように、幅木３同士を積み重ねる時には、幅木本体４の内側面に突出するロック部片１３の突出高さと端部キャップ１０の突出高さとは同じであるから、幅木本体４の外側面に何も取り付けられていなければ、何ら問題ないわけであるが、幅木本体４の外側面にはアウトガイド１１が取り付けられ、しかもこのアウトガイド１１には一側端部に補強リブ１１ｏが形成されているから、積み重ねる時に特にロック部片１３の棒状金具挿入部２１とアウトガイド１１とが干渉して隣合う幅木３相互間の間隔が不都合に広がると共に、その干渉によって幅木３の積み重ね状態が不安定となる。このような不都合を回避するために、アウトガイド１１の取付板部１１ｂにロック部片１３との干渉を避けるための切除部２５が形成されているから、隣合う幅木３，３相互間において一方の幅木３側のロック部片１３の棒状金具挿入部２１が他方の幅木３側のアウトガイド１１の取付板部１１ｂの切除部２５に嵌まり込み、従って幅木３相互間の間隔が広がることがなく、しかも切除部２５にロック部片１３の棒状金具挿入部２１が嵌まりこむため、幅木３の横ズレが防止され、幅木３の積み重ね状態が非常に安定することになる。
【００２７】
【発明の効果】
請求項１に係る発明の幅木によれば、幅木を足場板に取り付けるにあたって、幅木本体を足場板の側縁部上に載せて、アウトガイドを足場板の外側端面に当接支持させると共に、キャッチガイドの下端掛合部を足場板の前後端面と足場用建枠の横架材との間に突入させることにより、アウトガイドとキャッチガイドの下端掛合部によって足場板の係止用フックを挟む状態となって、幅木本体の左右方向の移動及び倒れを阻止でき、そしてキャッチガイドの下端掛合部を足場用建枠の横架材に掛合させることにより、幅木本体の前後方向の移動を阻止し、これによって幅木本体を足場板の側縁部上で起立姿勢に保持固定することができる。
【００２８】
この場合、ロック部片の先端側を押し下てキャッチガイドを前方へ押動するだけで、その下端掛合部が足場用建枠の横架材２に掛合するから、キャッチガイド１２を簡単にロックすることができる。また、幅木を取り外すときは、ロック部片の先端側を押し上げてロックを解除した後、幅木をそのまま持ち上げるだけでよいから、幅木の取外しも極めて簡単容易となる。
【００２９】
また、この発明の幅木によれば、キャッチガイドは、端部キャップに垂下状態で前後方向揺動自在に枢支されて、下端掛合部が足場板の前後端面と足場用建枠の横架材との間に突入した位置で前後に移動可能となっているから、この位置でキャッチガイドをロック操作すれば、下端掛合部が横架材に掛合した位置で幅木本体の前後方向の移動を完全に阻止することができ、従って足場板本体の面板長さが各メーカーによって違っていても、幅木を足場板に取り付けた時に、幅木がその長手方向にガタついたり、ずれたりすることがない。また、この発明の幅木は、足場板側には幅木取付のための何の加工も施す必要がないため、在来の足場板をそのまま使用できる。
【００３０】
請求項２に係る発明の幅木によれば、キャッチガイドをロックするには、ロック部片の棒状金具挿入部に棒状金具を挿入してロック部片の先端部を押し下げればよく、またロック部片をロック解除する時は、同じく棒状金具挿入部に棒状金具を挿入してロック部片の先端部を押し上げればよいから、キャッチガイドのロック操作及びロック解除操作が一層容易となる。
【００３１】
請求項３に係る発明の幅木によれば、アウトガイドは、幅木本体外側面に取り付けられる取付板部と、取付板部の下端から突出して足場板の外側端面に当接支持される支持板部とからなるもので、取付板部には、幅木の梱包等に際して幅木同士を積み重ねる時にロック部片との干渉を避けるための切除部を形成しているから、隣合う幅木相互間において一方の幅木側のロック部片の棒状金具挿入部が他方の幅木側のアウトガイドの取付板部の切除部に嵌まり込み、従って幅木相互間の間隔が広がることがなく、しかも幅木の横ズレが防止され、幅木の積み重ね状態を非常に安定することができる。
【図面の簡単な説明】
【図１】（Ａ）は足場板用幅木をその内側面側から見た側面図、（Ｂ）は幅木の平面図である。
【図２】幅木を足場板に取り付けた状態を示す斜視図である。
【図３】幅木を足場板に取り付けた状態を幅木の外側から見た正面図である。
【図４】（Ａ）は図１の（Ａ）の矢印Ｘで囲まれた部分の拡大図、（Ｂ）は同部分の平面図、（Ｃ）は同部分の端面図、（Ｄ）はロック部片を幅木本体に枢着する枢支軸（ボルト）の正面図である。
【図５】（Ａ）は足場板の取付ピッチ及び面板長さを示す側面図、（Ｂ）は幅木の作用を示す正面図である。
【図６】幅木の梱包等に際して幅木同士を多数積み重ねる時の状態を示す正面図である。
【符号の説明】
１              足場板
２              足場用建枠の横架材
３              足場板用幅木
４              幅木本体
１０            端部キャップ
１１            アウトガイド
１２            キャッチガイド
１２ａ          下端掛合部
１３            ロック部片
２１            棒状金具挿入部
【図１】
2004360268.tif 000003
【図２】
2004360268.tif 000004
【図３】
2004360268.tif 000005
【図４】
2004360268.tif 000006
【図５】
2004360268.tif 000007
【図６】
2004360268.tif 000008